(57)【特許請求の範囲】
【請求項１】
遊技機と１台づつ交互に複数並設して遊技機列を構成する台間遊技媒体貸機であって、
紙幣を受け入れ識別して紙幣搬送路に送出する紙幣識別機と、
投入された硬貨をコインセレクタに入れる硬貨通路に続く硬貨投入口を有し、
硬貨を受け入れ識別して硬貨搬送路に送出すると共に遊技媒体通路から遊技媒体を受け入れて指令数だけ払い出す機構部と、
制御基板と電源部とで構成され、前記機構部及び前記紙幣識別機からの識別信号に基づき前記機構部及び前記紙幣識別機を制御する制御部とからなる台間遊技媒体貸機であって、前記遊技機列の取付けステー設置体に機構部と制御部を着脱自在に取付け、これら両部に対し前記遊技機列前面上方部の高い位置に配置され紙幣面を水平状態で紙幣を搬送する紙幣搬送コンベアーの下部に別体に設けられ、前記紙幣搬送コンベアーの搬送路に送出するようにした紙幣識別機とから構成したことを特徴とする台間遊技媒体貸機。
【請求項２】
前記紙幣識別機は、遊技機列の前面上方部において外側に張り出したブラケットに取り付けられた紙幣搬送コンベアーの下部分に紙幣の投入口、上部に排出口をそれぞれ有し紙幣を受入れ識別して前記紙幣搬送コンベアーの搬送路に紙幣を水平に送出するようにし、該紙幣識別機は、前記機構部及び前記制御部の設置高さ以上高く設けた請求項１記載の台間遊技媒体貸機。
【請求項３】
前記機構部と前記制御部とに垂直方向に分割自在にした請求項１記載の台間遊技媒体貸機。
【発明の詳細な説明】
【０００１】
【産業上の利用分野】
本発明は、遊技機列に設置される台間遊技媒体貸機に関する。
【０００２】
【従来の技術】
遊技場における遊技機、例えばパチンコ台５０は、図５に示すように、台間遊技媒体貸機、例えば玉貸機５１を交互にはさみ並設して１つのパチンコ台列５２を構成し、これらのパチンコ台５０及び玉貸機５１を背中合せに配置して、通称「島」という１つの管理体制下にはいる。そして、これら島がいくつか集まって１つの遊技場を構成する。
【０００３】
この島における玉貸機５１は、紙幣識別機を内蔵し、この紙幣識別機は、島中に設置した紙幣搬送コンベアー５３に接続して受け入れた紙幣１０を渡すから、パチンコ台列５２から容易に取り外すことができない構造になっており、更に、この玉貸機５１に投入した紙幣１０は、図６に示すような紙幣搬送コンベアー５３により紙幣回収金庫５４に回収されている。
【０００４】
すなわち、島中の長手方向中心でパチンコ台５０間に１本の紙幣搬送コンベアー５３を通し常時作動させ、島の端部、すなわちツマ板５５外側に設けた紙幣回収金庫５４に玉貸機５１に投入した紙幣１０を回収する。もしくは、図５に示すスペース５６を広くとり、このスペース５６内に設けた紙幣回収金庫５７に紙幣を回収する。
【０００５】
【発明が解決しようとする課題】
しかしながら、上述の玉貸機５１では、紙幣識別機を内蔵させているから構造が複雑になり易く、紙幣１０の投入場所も玉貸機５１のサイズにより規制されて限られ、図６に示すように見通しの良いところにすることができず、仮に不正行為があっても発見しずらい。
【０００６】
また、玉貸機５１は、紙幣識別機を内蔵してこれに紙幣を通過させる構造であるから、紙幣１０がつまるなどのトラブルがあると、その玉貸機５１は使用できず、パチンコ台列５２から玉貸機５１を容易に取り外すことができないから、そのトラブルを解消しようとすると、両側のパチンコ台５０にてプレイしている客に大きな影響を及ぼすことになる。更に、玉貸機５１から紙幣搬送コンベアー５３に紙幣１０を引き渡す際、紙幣１０の詰まりなどのトラブルが発生した場合、トラブルの発生個所と思われる場所に位置するパチンコ台５０を開いてから、メンテナンスを行う必要があり、その間そのパチンコ台５０にてプレイしていた客はプレイを中断することになる。また、そのメンテナンス中、その島でプレイをしている客全員が紙幣１０を使用してパチンコ台列５２に設置してある玉貸機５１からパチンコ玉を借りることが出来ず、客に大きな不便さを与え、店側としても信用を大きく損なうと共に売上にも影響してしまう。
【０００７】
そこで、本発明は、上記事情に鑑みてなされたもので、構造を単純にして小型化を図り、遊技機のプレイを中断することなく、紙幣受け入れから紙幣搬送に伴なうトラブルの発生を少なくし、発生したトラブルに対してはメンテナンスを短時間で行なうことが出来、しかも紙幣使用に伴なう不正行為も容易に防止することができる台間遊技媒体貸機を提供することを目的とする。
【０００８】
【課題を解決するための手段】
上記課題を解決するため、請求項１に記載の本発明は、遊技機と１台づつ交互に複数並設して遊技機列を構成する台間遊技媒体貸機であって、紙幣を受入れ識別して紙幣搬送路に送出する紙幣識別機と、投入された硬貨をコインセレクタに入れる硬貨通路に続く硬貨投入口を有し、硬貨を受け入れ識別して硬貨搬送路に送出すると共に遊技媒体通路から遊技媒体を受け入れて指令数だけ払い出す機構部と、制御基板と電源部とで構成され、前記機構部及び前記紙幣識別機からの識別信号に基づき前記機構部及び前記紙幣識別機を制御する制御部とからなる台間遊技媒体貸機であって、前記遊技機列の取付けステー設置体に機構部と制御部を着脱自在に取付け、これら両部に対し前記遊技機列前面上方部の高い位置に配置され紙幣面を水平状態で紙幣を搬送する紙幣搬送コンベアーの下部に別体に設けられ、前記紙幣搬送コンベアーの搬送路に送出するようにした紙幣識別機とから構成したことを特徴とする。
請求項２に記載の本発明は、請求項１の発明に加えて、前記紙幣識別機は、下部分に紙幣の投入口、上部に排出口をそれぞれ有し紙幣を受入れ識別して前記紙幣搬送コンベアーの搬送路に紙幣を水平に送出するようにし、該紙幣識別機は、前記機構部及び前記制御部の設置高さ以上高く設けたことを特徴とする。
請求項３に記載の本発明は、請求項１の発明に加えて、前記機構部と前記制御部とに垂直方向に分割自在にしたことを特徴とする。
【０００９】
【作用】
請求項１に記載の本発明によれば、遊技媒体貸機の機構部と制御部より高い位置にある遊技機列の前面上方部に設けられた別体の紙幣識別機に紙幣を投入して紙幣を識別し、真正の紙幣であるとその識別信号を制御部に送り、制御部はその識別信号に基づき機構部に遊技媒体の払出信号を出し、機構部は払出信号に基づき遊技媒体を指令数払い出す。一方、紙幣は紙幣識別機を通って紙幣搬送路に送出する。機構部及び制御部にトラブルが発生したら設置体から機構部及び制御部を取り外してメンテナンスを行う。
【００１０】
請求項２に記載の本発明によれば、請求項１に記載の発明の作用に加えて、紙幣識別機が機構部及び制御部の設置高さ以上高く設けてあると、見通しが良く、紙幣投入時の不正行為を発見し易くなる。
【００１１】
請求項３に記載の本発明によれば、請求項１に記載の発明の作用に加えて、機構部及び制御部のいずれか一方にトラブルが発生したら、トラブルが発生した方のみを設置体から取り外してメンテナンスする。
【００１２】
【実施例】
以下、本発明の実施例を図１〜４に基づき詳述する。
図１は遊技機列に本発明の台間遊技媒体貸機を設置した状態を示す正面図、図２は遊技機列に本発明の台間遊技媒体貸機を設置した状態を示す側面図。図３は本発明の台間遊技媒体貸機の一部を断面した側面図である。図において、１は台間遊技媒体貸機（以下単に玉貸機という）であり、この玉貸機１は、いわゆる台間玉貸機であり、遊技機（以下単にパチンコ台という）２と１台づつ交互に複数並設して遊技機列（以下単にパチンコ台列という）３を構成し、このパチンコ台列３内の玉貸機１に紙幣１０又は硬貨を投入して遊技媒体、すなわちパチンコ玉を得てパチンコ台２にてプレイをするためのものである。このパチンコ台列３は、玉貸機１及びパチンコ台２の前面上方部に紙幣搬送路、すなわち、紙幣搬送コンベアー４を配置している。そして、この紙幣搬送コンベアー４を含むパチンコ台列３は、玉貸機１及びパチンコ台２の背面を向い合せにして２列床面に強固に立設した本柱５により支持され、両端につま板６が設置され、「島」という１つの管理体制とされる。この島７がいくつか集まって１つの遊技場（パチンコ店）を構成することは、従来例と同様である。
【００１３】
前記玉貸機１は、紙幣１０を受け入れ識別して前記紙幣搬送コンベアー４に送出する紙幣識別機１１と、硬貨を受け入れ識別して硬貨搬送路１２に送出すると共に遊技媒体流通路１３からパチンコ玉を受け入れて指令数だけ払い出す機構部１４と、この機構部１４及び紙幣識別機１１からの識別信号に基づき機構部１４及び前記紙幣識別機１１を制御する制御部１５とを具備してなり、設置体、すなわち、取付ステー１６に機構部１４と制御部１５を着脱自在に取り付け、これら両部１４、１５と前記紙幣識別機１１とを別体に構成したものである。
【００１４】
前記紙幣１０は、１０００円の金種が主に使用されるが、これに限定しない。
前記紙幣搬送コンベアー４は、紙幣面を水平状態で紙幣１０を搬送するものであり、図２に示すように、下部が開放状態になって、玉貸機１及びパチンコ台２の前面上方部、すなわち、本柱５の外側に張り出したブラケット２０に取り付けられている。玉貸機１から別体となった前記紙幣識別機１１は、下部に紙幣１０の投入口２１、上部に排出口をそれぞれ有し、紙幣１０がこの中を通過する過程でその紙幣１０が真正であるかどうか、金額がいくらかを識別して、その識別信号を制御部１５に送ると共に、紙幣１０が真正でない場合、返却すると共にランプを点滅させる等してその事実を店員等に知らせる。そして、この紙幣識別機１１は、パチンコ台列３の各玉貸機１の上方で、上記紙幣搬送コンベアー４の下部に設けられている。紙幣１０の受入口に接続している。更に、各紙幣識別機１１間に紙幣搬送コンベアー４を覆う幕板２２が、前記ブラケット２０に開閉可能に取り付けられている。
【００１５】
この紙幣識別機１１を別体にした玉貸機１は、前記機構部１４と前記制御部１５とに垂直方向に分割されている。この機構部１４は、前面１４ａに硬貨の投入口３０があり、この投入口３０に硬貨通路３１が続き、投入された硬貨はコインセレクタ３２に入る。このコインセレクタ３２内に硬貨の真正、金額を識別しその識別信号を制御部１５に送る機能があり、自身は不正硬貨を排出路３３から外部に出し、真正の硬貨は搬出路３４から前記硬貨搬送路１２に送られる。
【００１６】
一方投入した硬貨が真正であると、それに応じたパチンコ玉が遊技媒体流通路１３から導入されて、排出通路３５を通るパチンコ玉をボールディスペンサー３６により計数されて、前面１４ａにある排出口３７あるいは排出パイプ３８から排出される。
【００１７】
また、機構部１４の背面１４ｂには制御部１５に電気的に接続するために取付ステー１６との間にフローディングコネクター３９が介在している。
前記制御部１５は、制御基板４０と電源部４１とで構成され、背面１５ａには前記紙幣識別機１１及び機構部１４に電気的に接続するために、取付ステー１６との間にフローディングコネクター４２ａ及び４２ｂが介在している。
【００１８】
玉貸機１を構成する機構部１４及び制御部１５は、共にパチンチ台列３から着脱自在になっており、前記幕板２２内の各紙幣識別機１１近傍に着脱レバー４３を設けている。この着脱レバー４３は、ワイヤー４４により機構部１４につながっている。この着脱レバー４３を島７から離れる方向に引けば、パチンコ台列３から機構部１４をワンタッチで離脱させることができ、機構部１４のメンテナンスをきわめて容易にしている。一方、制御部１５は、トラブル発生がほとんどないから着脱レバーはないが、パチンコ台列３からボルトを外すことで離脱させることができるようになっている。
【００１９】
なお、前記紙幣搬送コンベアー４は、パチンコ台列３の端部に位置するパチンコ台２の上でつま板６の内側に位置して紙幣回収金庫４５が設置されている。従って、本発明では、従来例のようにつま板の外側に紙幣回収金庫４５を設けたり、つま板６の内側に設けた場合には紙幣回収金庫４５の外寸法分、つま板６が外側にのびることがない。
【００２０】
また、この紙幣搬送コンベアー４は、紙幣１０が上述の紙幣識別機１１を通過することを条件として作動し、上述の紙幣回収金庫４５内に入るまで作動し続けるようになっており、常時は作動していない。
【００２１】
次に、上記構成になる玉貸機１の作動について説明する。
島７におけるパチンコ台列３のいずれかのパチンコ台２でゲームを行いたいと思う客は、まず、玉貸機１に紙幣１０又は硬貨を投入して、パチンコ玉を借りる必要がある。例えば、玉貸機１の紙幣識別機１１に紙幣１０を投入すると、紙幣１０は、真正であれば紙幣識別機１１を通過して、その金額に応じて玉貸機１の機構部１４に払出信号が伝達され、その払出信号に基づいて機構部１４の排出口３７あるいは排出パイプ３８からパチンコ玉が払い出される。紙幣１０が真正でない場合は返却されかつランプが点滅して店員に知らせる。
【００２２】
なお、硬貨の場合も同様にしてパチンコ玉が払い出される。
この紙幣識別機１１は、高い位置にあるから見通しが良く、その遊技場の店員など管理者から良く見えるので、不正行為の防止にもなる。特にこれは、紙幣搬送コンベアー４が玉貸機１及びパチンコ台２の前面上方部に設置されていることによるメリットである。
【００２３】
一方、紙幣１０が紙幣識別機１１を通過すると、紙幣搬送コンベアー４に作動信号が出て作動し始め、紙幣１０はその受入口から紙幣搬送コンベアー４に受け渡され、島７の端にある紙幣回収金庫４５に搬送される。この紙幣回収金庫４５が満杯になったら、客に迷わくをかけなくても幕板２２を開くことができ、紙幣回収金庫４５を開き中の紙幣１０を集金することができる。
【００２４】
そして、紙幣搬送コンベアー４の途中で搬送中の紙幣１０が詰まったら、客にどいてもらうことなく、その位置にある幕板２２を開ければ、紙幣搬送コンベアー４がすぐに見え下部が開放状態であり、かつ通常の大人であれば手が届く範囲であるから、回復作業を容易にできる。また、仮にこの紙幣搬送コンベアー４に紙幣１０が詰まって作動しない場合であっても、島７の別のパチンコ台列３の紙幣搬送コンベアー４は作動しており、別のパチンコ台列３にあるすべての玉貸機１は使用することができる。
【００２５】
また、玉貸機１内でパチンコ玉などの詰まりのトラブルが発生した場合、幕板２２を開き紙幣識別機１１近傍にある着脱レバー４３を引けば、機構部１４は取付ステー１６からフローティングコネクター３９が外れるから、ワンタッチで外すことができ、客に迷惑をかけずに機構部１４のメンテナンスを行なうことができる。
【００２６】
【発明の効果】
請求項１記載の本発明によれば、遊技機列の前方上部に配置した紙幣搬送コンベアーの下部に別体の紙幣識別機に紙幣を投入して紙幣を識別し、真正の紙幣であるとその識別信号を制御部に送り、制御部はその識別信号に基づき機構部に遊技媒体の払出信号を出し、機構部は排出信号に基づき遊技媒体を指令数払い出す。一方、紙幣は紙幣識別機を通って紙幣搬送路に送出する。機構部及び制御部にトラブルが発生したら、設置体から機構部または制御部を別々に取り外してメンテナンスを行うことができる。従って、紙幣識別機が遊技機の前面上方に別体であるから、構造が単純になり、小型化を図ることができて、機構部と制御部とに分別構成にすることも容易となり、遊技機列からこの機構部、制御部を別々に取り外ししてここメンテナンスができるので、両側の遊技機でプレイしている客に迷惑をかけることがほとんどない。
【００２７】
請求項２記載の本発明によれば、請求項１に記載の発明の効果に加えて、前記紙幣識別機は、遊技機列の前面上方部にある本柱の外側に張り出したブラケットに取り付けられた紙幣搬送コンベアー下部分に紙幣の投入口、上部に排出口を有し紙幣を受入れ識別して前記紙幣搬送コンベアーの搬送路に紙幣を水平に送出するようにしているから、紙幣識別機が機構部及び制御部の設置高さ以上高く設けてあると、見通しが良く紙幣投入時の不正行為を発見し易くなる効果がある。
【００２８】
請求項３に記載の本発明によれば、請求項１に記載の発明の効果に加えて、前記機構部と制御部とを分割自在にしてるため、機構部及び制御部のいずれか一方にトラブルが発生したら、トラブルが発生した方のみを設置体から取り外しメンテナンスするから、その分負担が減る。
【図面の簡単な説明】
【図１】遊技機列に本発明の台間遊技媒体貸機を設置した状態を示す正面図。
【図２】遊技機列に本発明の遊技媒体貸機を設置した状態を示す正面図。
【図３】本発明の台間遊技媒体貸機の一部を断面した側面図。
【図４】本発明の台間遊技媒体貸機の作動状態を示す側面図。
【図５】従来例を示す図１と同状の正面図。
【図６】従来例を示す図２と同状の側面図。
【符号の説明】
１    玉貸機（台間遊技媒体貸機）
２    パチンコ台（遊技機）
４    紙幣搬送コンベアー（紙幣搬送路）
１０    紙幣                      １１    紙幣識別機
１２    硬貨搬送路                １３    遊技媒体流通路
１４    機構部                    １５    制御部
１６    取付ステー（設置体）
３９、４２ａ、４２ｂ    フローティングコネクター
【図１】
0003598442.tif 000002
【図２】
0003598442.tif 000003
【図３】
0003598442.tif 000004
【図４】
0003598442.tif 000005
【図５】
0003598442.tif 000006
【図６】
0003598442.tif 000007